(57)【要約】【課題】携帯端末が画面ロック状態などの機能利用不可状態である場合に、他人が容易に当該機能利用不可状態を解除することを防止する携帯端末及びその制御方法を提供する。【解決手段】表示装置を備える携帯端末１であって、携帯端末１の傾きを検知する傾き検知手段と、携帯端末１の所定の機能が利用不可能である機能利用不可状態において表示装置上にポインタ３０を表示する表示手段と、機能利用不可状態において前記傾き検知手段が検知した携帯端末１の傾きに従ってポインタ３０を遷移させる遷移手段と、ポインタ３０が遷移することにより描いた軌跡が予め登録された条件を満たすか判断する判断手段と、判断手段により軌跡が条件を満たすと判断された場合に所定の機能を利用可能とする利用不可状態解除手段と、を備える携帯端末１を提供する。【選択図】図１
2013191916.tif 000002
【特許請求の範囲】
【請求項１】
表示装置を備える携帯端末であって、
前記携帯端末の傾きを検知する傾き検知手段と、
前記携帯端末の所定の機能が利用不可能である機能利用不可状態において前記表示装置上にポインタを表示する表示手段と、
前記機能利用不可状態において前記傾き検知手段が検知した前記携帯端末の傾きに従って前記ポインタを遷移させる遷移手段と、
前記ポインタが遷移することにより描いた軌跡が予め登録された条件を満たすか判断する判断手段と、
前記判断手段により前記軌跡が前記条件を満たすと判断された場合に前記所定の機能を利用可能とする利用不可状態解除手段と、
を備える携帯端末。
【請求項２】
前記遷移手段が、前記携帯端末の傾きが一定角度以上である場合に限りポインタを遷移させる請求項１に記載の携帯端末。
【請求項３】
前記表示手段が、ポインタが遷移できる複数の相互に重複しないマスを表示し、
前記判断手段が、前記条件としてマスの遷移順序を保持している、請求項１又は２に記載の携帯端末。
【請求項４】
前記遷移手段が、ポインタを異なるマスに遷移させた場合は、遷移後一定時間ポインタを遷移させない請求項３に記載の携帯端末。
【請求項５】
前記判断手段が、前記遷移手段によってポインタが前記条件を満たす軌跡を描くために必要な遷移数以上遷移させられた場合に、該ポインタが遷移することにより描いた軌跡が前記条件を満たすか判断する請求項３又は４に記載の携帯端末。
【請求項６】
前記判断手段が、ポインタの遷移が開始された後に、該ポインタが任意のマスに一定時間以上留まった場合に、該ポインタが遷移することにより描いた軌跡が前記条件を満たすか判断する請求項３〜５のいずれか一項に記載の携帯端末。
【請求項７】
表示装置を備える携帯端末による制御方法であって、
前記携帯端末の傾きを検知する傾き検知ステップと、
前記携帯端末の所定の機能が利用不可能である機能利用不可状態において前記表示装置上にポインタを表示する表示ステップと、
前記機能利用不可状態において前記傾き検知ステップにおいて検知された前記携帯端末の傾きに従って前記ポインタを遷移させる遷移ステップと、
前記ポインタが遷移することにより描いた軌跡が予め登録された条件を満たすか判断する判断ステップと、
前記判断ステップにおいて前記軌跡が前記条件を満たすと判断された場合に前記所定の機能を利用可能とする利用不可状態解除ステップと、
を含む制御方法。
【発明の詳細な説明】
【技術分野】
【０００１】
本発明は、携帯端末及びその制御方法に関する。
【背景技術】
【０００２】
液晶ディスプレイを備えた携帯端末は、消費電力の低減のため、一定時間操作されなかった場合やユーザが指定ボタンを押下した場合には、ディスプレイを消灯して休止モードに入る。休止モードから復帰する際は、セキュリティ確保のため通常は画面ロックを設定しており、ユーザは端末使用の都度画面ロックを解除する必要がある。
【０００３】
タッチパネル搭載型携帯端末のロック解除を簡単に行う方法として、タッチパネル上の複数の点（マス）を一筆書きになるように指でなぞり、当該指でなぞることにより描いた軌跡生成されたデータと、予めメモリ部に登録された軌跡（データ）とを比較して、一致した場合にロック状態を解除する方法が知られている（例えば特許文献１参照）。
【先行技術文献】
【特許文献】
【０００４】
【特許文献１】特開２００７−２５７１４０号公報
【発明の概要】
【発明が解決しようとする課題】
【０００５】
しかしながら、従来の方法は、ロック解除を行うために毎回同じ軌跡をタッチパネル上でなぞるため、当該なぞった軌跡がタッチパネル上に残ってしまう場合がある。その場合、画面上の軌跡を見て、他人が簡単に登録パターンを類推し画面ロックを解除することが可能となってしまう。
【０００６】
本発明は上記実情に鑑みてなされたものであり、携帯端末が画面ロック状態などの機能利用不可状態である場合に、他人が容易に当該機能利用不可状態を解除することを防止する携帯端末及びその制御方法を提供することを目的とする。
【課題を解決するための手段】
【０００７】
本発明に係る携帯端末は、表示装置を備える携帯端末であって、携帯端末の傾きを検知する傾き検知手段と、携帯端末の所定の機能が利用不可能である機能利用不可状態において表示装置上にポインタを表示する表示手段と、機能利用不可状態において傾き検知手段が検知した携帯端末の傾きに従ってポインタを遷移させる遷移手段と、ポインタが遷移することにより描いた軌跡が予め登録された条件を満たすか判断する判断手段と、判断手段により軌跡が条件を満たすと判断された場合に所定の機能を利用可能とする利用不可状態解除手段と、を備える。
【０００８】
この携帯端末では、ユーザが携帯端末を傾けた場合に、傾き検知手段が傾きを検知し、遷移手段が当該傾きに従って端末画面上のポインタを遷移させることができる。ポインタが遷移することによって描いた軌跡は、予め登録している条件と比較され、その結果、ポインタが描いた軌跡と条件が一致すれば、携帯端末の利用不可状態は解除され、ユーザは、当該利用不可状態が解除された機能を利用することができる。ユーザは、機能の利用不可状態が解除される一連の作業を、一度もタッチパネル等の表示装置に触れずに行うことができる。
【０００９】
ユーザがタッチパネル等の表示装置に触れることなく利用不可状態を解除できるため、表示装置上に指でなぞった軌跡が残ることがない。このことにより、画面上の軌跡から他人に登録パターンを類推されるといった問題は発生しえない。以上より、本発明によれば、携帯端末が画面ロック状態などの機能利用不可状態である場合に、他人が容易に当該機能利用不可状態を解除することを防止する携帯端末を提供することができる。
【００１０】
また、本発明に係る携帯端末において、遷移手段が、携帯端末の傾きが一定角度以上である場合に限りポインタを遷移させることが好ましい。携帯端末の傾きは、ユーザが意図していない場合にも生じうるところ、一定角度以上という閾値を設けることによって、ユーザがポインタの遷移を意図していないであろうと想定される携帯端末のわずかな傾きに対しては、ポインタを遷移させないという制御が可能となる。当該制御によって、誤操作を防止し、ユーザの操作性を向上させることができる。
【００１１】
また、本発明に係る携帯端末において、表示手段が、ポインタが遷移できる複数の相互に重複しないマスを表示し、判断手段が条件としてマスの遷移順序を保持していることが好ましい。マスを設けることによって、後述する遷移手段によるポインタ遷移制御や判断手段による軌跡比較が可能となり、ユーザビリティの向上が図れる。また、マスがあることにより、判断手段が予め登録された条件として遷移順序を保持しやすくなり、本発明の簡易な実施が可能となる。
【００１２】
また、本発明に係る携帯端末において、遷移手段が、ポインタを異なるマスに遷移させた場合は、遷移後一定時間ポインタを遷移させないことが好ましい。遷移手段が、傾き検知手段が検知した傾きに従って無条件にポインタを遷移させることとすると、ユーザは、携帯端末を傾けてポインタを遷移させた後、当該傾きを即時に修正しなければ、当該傾きに従って、ユーザが意図した遷移を超えてポインタを遷移させてしまう恐れがある。即ち、ユーザ操作の難易度が高くなってしまう。遷移後一定時間ポインタを遷移させないという制御をすることにより、ポインタ遷移後、傾きを修正する時間を十分にとることができ、ユーザの操作難易度を低くすることができる。
【００１３】
また、本発明に係る携帯端末において、判断手段が、遷移手段によってポインタが条件を満たす軌跡を描くために必要な遷移数以上遷移させられた場合に、該ポインタが遷移することにより描いた軌跡が条件を満たすか判断することが好ましい。予め登録された条件と一致する軌跡を描くために必要な遷移数を満たしている場合に限り、描いた軌跡と予め登録された条件とを比較することによって、ポインタの遷移が完了する前に判断手段によって軌跡比較がされることを防止し、ユーザが意図したタイミングで軌跡比較を実施することができる。
【００１４】
また、本発明に係る携帯端末において、判断手段が、ポインタの遷移が開始された後に該ポインタが任意のマスに一定時間以上留まった場合に該ポインタが遷移することにより描いた軌跡が条件を満たすか判断することが好ましい。ポインタの遷移が一定時間されず、ユーザの操作が完了したと想定された後に軌跡比較を行うことにより、ユーザが意図したタイミングで軌跡比較を実施することができる。
【００１５】
また、本発明に係る制御方法は、表示装置を備える携帯端末による制御方法であって、携帯端末の傾きを検知する傾き検知ステップと、携帯端末の所定の機能が利用不可能である機能利用不可状態において表示装置上にポインタを表示する表示ステップと、機能利用不可状態において傾き検知ステップにおいて検知された携帯端末の傾きに従ってポインタを遷移させる遷移ステップと、ポインタが遷移することにより描いた軌跡が予め登録された条件を満たすか判断する判断ステップと、判断ステップにおいて軌跡が条件を満たすと判断された場合に所定の機能を利用可能とする利用不可状態解除ステップと、を含む。この制御方法は、上述の携帯端末と同様な効果を奏することができる。
【発明の効果】
【００１６】
本発明によれば、携帯端末が画面ロック状態などの機能利用不可状態である場合に、他人が容易に当該機能利用不可状態を解除することを防止する携帯端末及びその制御方法を提供することができる。
【図面の簡単な説明】
【００１７】
【図１】本発明の実施形態に係る携帯端末の画面ロック解除イメージを示すである。
【図２】本発明の実施形態に係る携帯端末の機能ブロックを示す図である。
【図３】本発明の実施形態に係る携帯端末のハードウェア構成を示す図である。
【図４】本発明の実施形態に係る携帯端末の画面ロック解除処理を示すフローチャートである。
【図５】本発明の実施形態に係る携帯端末での、画面ロック解除パターンイメージと画面ロック解除の操作イメージを示す図である。
【発明を実施するための形態】
【００１８】
以下、図面と共に本発明に係る携帯端末及びその制御方法の好適な実施形態について詳細に説明する。なお、図面の説明においては同一要素には同一符号を付し、重複する説明を省略する。
【００１９】
まず、図１を参照して、本実施形態に係る画面ロック解除の概要を説明する。図１は、本発明の実施形態に係る携帯端末の画面ロック解除イメージを示す図である。液晶ディスプレイを備えた携帯端末１は、消費電力の低減のため、一定時間操作されなかった場合には休止モードに入り、画面ロック状態となる。休止モードとは、液晶ディスプレイでの画面表示を行わず消費電力を抑えるモードである。なお、休止モードにおいてもメモリには電力が供給されるため、休止中も、休止モードとなる前に実行中であったデータが保持される。画面ロック状態とは、携帯端末１の所定の機能が利用不可能である機能利用不可状態である。所定の機能とは、例えば、タッチパネル１１から入力を行う機能である。即ち、画面ロック状態とは、タッチパネル１１をタップすることにより利用する各種機能（画面ロックを解除する機能を除く）が利用不可となっている状態である。画面ロック状態においては、タッチパネル１１をタップする一切の操作（画面ロックを解除するための操作を除く）は無効とされる。休止モードから復帰する際には、セキュリティ確保の観点から、一般的に画面ロック状態に設定する。
【００２０】
本発明の実施形態に係る携帯端末１では、ユーザが画面ロックを解除するために、携帯端末１のハードキーを押下（もしくはタッチパネル１１をタップ）すると、図１（ａ）に示すように、タッチパネル１１上に画面ロック解除のためのポインタ３０が表示される。なお、ハードキーとは携帯端末１に物理的に備えられたボタン等をいう。本実施形態に係る携帯端末１では、図１（ｂ）に示すように、ユーザが携帯端末１を傾けて画面上のポインタ３０を予め登録された画面ロック解除パターンとなるように遷移させ、その結果、ポインタ３０の遷移が予め登録された画面ロック解除パターンと一致したと判断された場合には、図１（ｃ）に示すように画面ロックが解除される。
【００２１】
図２は、本発明の実施形態に係る携帯端末の機能ブロックを示す図である。図２に示すように、本実施形態に係る携帯端末１は、タッチパネル１１と、傾き検知部１２と、表示部１３と、遷移部１４と、判断部１５と、利用不可状態解除部１６とを備えて構成される。携帯端末１としては、例えば携帯電話機やタブレット型コンピュータなどの携帯通信機器を用いることができる。携帯端末１が携帯電話機である場合には、上記の構成要素以外に通話機能なども備えている。
【００２２】
タッチパネル１１は、表示装置であると共に入力装置である。タッチパネル１１は、ユーザの指などが接触又は近づくことによる静電容量や電圧の変化を検知し、これらの変化を出力信号として、機器を操作する。機器の操作として、具体的には、文字の入力や、範囲の選択などが可能である。
【００２３】
傾き検知部１２は、携帯端末１の傾きを検知する傾き検知手段である。傾き検知手段は、傾き方向と、傾き角度を検知する。傾き方向とは、携帯端末１が傾いている方向であり、タッチパネル１１の表示面の内、重力方向と垂直に交わる面である水平面に対して（端末本体（のタッチパネルの表示面）を水平に維持した状態を基準とし）下がった状態となっている方向をいう。例えば図５（ａ）において、携帯端末１を左手方向に傾ける（即ち端末右部を持ち上げる）とは、１、４、７の数字が記載されたマス４０が水平面に対して下がった状態となるように携帯端末１を傾けることをいう。傾き角度とは、携帯端末１の、重力方向と垂直に交わる面である水平面に対する角度をいう。即ち、水平面は傾き角度が０と判断される。傾き検知部１２としては、例えば、従来からある、重力加速度を利用して傾きを検知する加速度センサなどを用いることができる。
【００２４】
表示部１３は、携帯端末１のタッチパネル１１上の各種表示を制御するものであり、画面ロック状態である場合には、タッチパネル１１上にポインタ３０及び該ポインタ３０が遷移できる複数（例えば９個）のマス（点）４０を表示する表示手段である。当該マス４０は、それぞれに数字が割り振らており、また、ポインタ３０が縦・横・斜めの隣接するマス４０に移動できるよう、相互に表示位置が重複しないように格子状等の一定間隔で表示される。表示部１３がポインタ３０及びマス４０を表示するタイミングは、画面ロック状態においてユーザが携帯端末１のハードキーを押下、またはタッチパネル１１をタップしたタイミングである。なお、ポインタ３０の初期位置（ポインタ３０が初期状態で位置するマス４０）は、画面ロック解除パターンの始点、即ち、画面ロック解除パターンの１桁目の番号が割り振られたマス４０である。また、ポインタ３０の初期位置（即ち、ロック解除パターンの始点）は予め固定的に設定されたマス４０でもよい。
【００２５】
遷移部１４は、画面ロック状態である場合において、傾き検知部１２が検知した携帯端末１の傾きに従ってポインタ３０を遷移させる遷移手段である。携帯端末１の傾きに従ってポインタ３０を遷移させる、とは例えば携帯端末１がタッチパネルの表示面に向かって左手に、水平面に対して傾けられた場合には、現在ポインタ３０が存在するマス４０と隣接する左側のマス４０に、ポインタ３０を遷移させることをいう。遷移部１４は、携帯端末１が左手に傾けられると、ポインタ３０を、左に落ちていくように移動させる。
【００２６】
この遷移部１４は、携帯端末１の傾きが水平面に対して一定角度以上である場合に限り、ポインタ３０を遷移させるようにし、傾きが一定の角度になるまではマス４０に留まっているようにする。また、一度動きだした場合には、加速しながら隣接のマス４０に遷移するようにする。この遷移部１４は、ポインタ３０を異なるマス４０に遷移させた場合は、遷移後一定時間ポインタ３０を遷移させない制御を行う。ここで、一定時間とは、操作時に過度な操作遅延を招くものではなく、例えば数１０ｍ秒〜数１００ｍ秒程度の時間とする。
【００２７】
判断部１５は、ポインタ３０が遷移することにより描いた軌跡が、予め登録された条件を満たすかを判断する判断手段である。本実施形態において予め登録された条件とは、予め登録された画面ロック解除パターンをいい、画面ロック解除パターンは、マス４０に割り振られた番号とその桁数により特定される。例えば「８→９→６→３」の順にポインタ３０が遷移する軌跡がユーザによって登録されている場合、１桁目のマス４０の番号は８であり、２桁目のマス４０の番号は９であり、３桁目のマス４０の番号は６であり、４桁目のマス４０の番号は３である。そして、この場合の画面ロック解除パターンは「８９６３」であると特定される。なお、解除パターンは一筆書きが可能な軌跡とする。
【００２８】
この判断部１５は、遷移部１４によってポインタ３０が予め登録された条件、即ち画面ロック解除パターンを満たす軌跡を描くために必要な遷移数（即ち画面ロック解除パターンの桁数より１少ない回数）以上遷移させられた場合に、該ポインタ３０が遷移することにより描いた軌跡、即ちポインタ３０の遷移により通過したマス４０に割り振られた各数字、が前記条件を満たすか判断する。また、この判断部１５は、ポインタ３０の遷移が開始された後に、該ポインタ３０が任意のマス４０に一定時間以上留まった場合に、該ポインタ３０が遷移することにより描いた軌跡が画面ロック解除パターンを満たすかを判断する。ここでの一定時間は、遷移部１４によってポインタ３０をマスに留まらせる時間よりも長いものとし、例えば、数１００ｍ秒〜数秒程度の時間とする。
【００２９】
利用不可状態解除部１６は、判断部１５によりポインタ３０の軌跡が画面ロック解除パターンを満たすと判断された場合に、当該携帯端末１の画面ロックを解除する、利用不可状態解除手段である。利用不可状態解除部１６によって画面ロックが解除された場合には、解除前に無効とさえていたタッチパネル１１を使った操作が有効となる。なお、図示しないが、携帯端末１は上述したように携帯端末１が一定時間操作されなかったことを検出して、あるいは、ユーザがタッチパネル１１又はハードキーの指定ボタンを押下したことによる入力を受け付けて、携帯端末１をロック状態（休止モード）に設定する機能手段を備えている。
【００３０】
図３は、本発明の実施形態に係る携帯端末１のハードウェア構成を示す図である。図３に示すように、本実施形態に係る携帯端末１は、ＣＰＵ（Central Processing Unit）１０１、主記憶装置であるＲＡＭ（RandomAccess Memory）１０２及びＲＯＭ１０３（Read Only Memory)、タッチパネル１１、加速度センサ１０４、通信モジュール１０５、補助記憶装置１０６、アンテナ１０７等のハードウェアにより構成されている。これらの構成要素が動作することにより、上述した携帯端末１の各機能が発揮される。以上が携帯端末１の構成である。
【００３１】
引き続いて、図４のフローチャートを用いて、本発明の実施形態に係る携帯端末１の画面ロック解除処理を説明する。本処理は、携帯端末１の画面ロックを解除する際に実行される。
【００３２】
なお、当該処理の前段階として、ユーザは画面ロック解除パターンを登録するモード（解除軌跡登録モード）で、一定個数以上のマス４０を遷移する軌跡（画面ロック解除パターン）を登録しておく必要がある。当該画面ロック解除パターン（マス４０に割り振られた番号と桁数）は、判断部１５に登録される。画面ロック解除パターンは、携帯端末１を傾けることによりポインタ３０が通過したマス４０の数字を登録しても良いし、タッチパネル１１やテンキーの入力によってマス４０の数字を入力することにより登録してもよい。
【００３３】
携帯端末１では、画面ロック状態において、携帯端末１のハードキーを押下（もしくはタッチパネル１１をタップ）すると、表示部１３によって、タッチパネル１１上に、数字が記載された複数のマス４０と、当該いずれかのマス４０に位置するポインタ３０が表示された、画面ロック解除初期画面が表示される（Ｓ０１、表示ステップ）。この際のポインタ３０の初期表示位置は、ユーザが予め登録した画面ロック解除パターンの始点、即ち、画面ロック解除パターンの１桁目の番号のマス４０となる。いま、図５（ａ）のように画面ロック解除パターンが「５７８９６３」である場合、画面ロック解除初期画面におけるポインタ３０の初期表示位置は、５の数字が記載されたマス４０であり、図５（ｂ）に示したようになる。
【００３４】
携帯端末１では、傾き検知部１２によって、携帯端末の水平面に対しての傾きが検知される（Ｓ０２、傾き検知ステップ）。傾き検知部１２によって検知された携帯端末１の傾きは、遷移部１４によって、当該傾きが閾値以上であるか否かが判定される（Ｓ０３、遷移ステップ）。傾きの閾値は任意に設定が可能である。本実施形態では、閾値として、３０度が設定されていたとする。携帯端末１の傾きが水平面に対して３０度未満である場合には、遷移部１４によって、当該傾きは、後述するポインタ３０を遷移させる傾きではないと判断される。この場合、再度、Ｓ０２の傾き検知部１２による傾き検知が行われる。
【００３５】
一方で、上述した傾きの閾値が水平面に対して３０度である場合において、傾きが水平面に対して３０度以上である場合には、遷移部１４によって、当該傾きに従いポインタ３０が遷移させられる。具体的には、ポインタ３０が、携帯端末１の傾き方向の隣接するマス４０に移動させられる（Ｓ０４、遷移ステップ）。いま、図５（ｂ）に示したようにポインタ３０の初期表示位置が５の数字が記載されたマス４０であった場合に、携帯端末１をタッチパネル１１の表示面に向かって左下の方向に、水平面に対して３０度以上傾けた場合、図５（ｃ）に示すように、タッチパネル上に表示された５の数字が記載されたマス４０から、タッチパネルに向かって左下方向に隣接する７の数字が記載されたマス４０にポインタ３０が移動する（Ｓ０４、遷移ステップ）。
【００３６】
Ｓ０４においてポインタ３０が携帯端末１の傾き方向の隣接するマス４０へ移動した際、判断部１５によって、当該マス４０移動により、画面ロック解除パターンを満たす軌跡を描くために必要な遷移数（即ち画面ロック解除パターンの桁数より１少ない回数）以上、マス４０移動がすでにされたこととなるか否かを判断される（Ｓ０５、判断ステップ）。いま、図５（ａ）に示したように、「５→７→８→９→６→３」という画面ロック解除パターンを登録していたとすると、画面ロック解除パターンの桁数は６である。よって、当該桁数より１少ない数は５である。図５（ｃ）に示す場合では、ポインタ３０が５の数字が記載されたマス４０から７の数字が記載されたマス４０に移動しているが、本移動が１回目の移動である。よって、画面ロック解除パターンを満たす軌跡を描くために必要な遷移数分マス４０移動がすでにされたこととならず、この場合には、再度、Ｓ０２の傾き検知部１２による傾き検知が行われる。
【００３７】
Ｓ０５において、判断部１５が、画面ロック解除パターンを満たす軌跡を描くために必要な遷移数分マス４０移動がすでにされたと判断した場合には、次に、遷移部１４によって、ポインタ３０が一定時間以上同一マス４０に留まっているか否かが判断される（Ｓ０６、遷移ステップ）。
【００３８】
Ｓ０６において、遷移部１４によって、ポインタ３０が一定時間以上同一マス４０に留まっていると判断された場合には、次に、判断部１５によって、予め登録された画面ロック解除パターンと、ポインタ３０が遷移することにより描いた軌跡とが一致するか否かが判断される。具体的には、画面ロック解除パターンの各桁の数字と、ポインタ３０の遷移により通過したマス４０の各数字とが一致するか否かが判断される（Ｓ０７、判断ステップ）。
【００３９】
Ｓ０７において、判断部１５によって、画面ロック解除パターンの各桁の数字と、ポインタ３０の遷移により通過したマス４０の各数字とが一致すると判断された場合には、利用不可状態解除部１６は、画面ロックを解除する（Ｓ０８、利用不可状態解除ステップ）。いま、画面ロック解除パターンが図５（ａ）に示したとおりであって、ポインタ３０の遷移により通過したマス４０の数字が図５（ｄ）に示したようになった場合には、画面ロック解除パターンと、ポインタ３０の遷移により通過したマス４０の数字とが「５７８９６３」で一致するため、利用不可状態解除部１６によって、携帯端末１の画面ロックは解除される。
【００４０】
一方、画面ロック解除パターンと、ポインタ３０の遷移により通過したマス４０の数字とが一致しない場合には、登録されたパターンと不一致のため画面ロックを解除できない旨がタッチパネル１１に表示され（Ｓ０９）、再度、表示部１３によって画面ロック解除初期画面が表示される。
【００４１】
なお、画面ロック解除に一定回数失敗した場合は、判断部１５によって、端末に登録されたパスワードでの解除モードに移行されたり、一定時間ロック解除にトライすることができないようにされたり、等の対処が行われ、他人が何度もロック解除を試みることが防止される。
【００４２】
次に、本実施形態に係る携帯端末１の作用・効果について説明する。
【００４３】
この携帯端末１では、ユーザが携帯端末１を傾けた場合に、傾き検知部１２が傾きを検知し、遷移部１４が当該傾きに従って携帯端末１画面上のポインタ３０を遷移させることができる。ポインタ３０が遷移することによって描いた軌跡は、予め登録している条件と比較され、その結果、ポインタ３０が描いた軌跡と条件が一致すれば、携帯端末１の利用不可状態は解除され、ユーザは、当該利用不可状態が解除された機能を利用することができる。画面ロックを解除した場合にあっては、画面ロック状態で無効とされていたタッチパネル１１の操作が有効になる。ユーザは、当該機能の利用不可状態が解除される一連の作業を、一度もタッチパネル１１に触れずに行うことができる。
【００４４】
ユーザがタッチパネル１１等の表示装置に触れることなく利用不可状態を解除できるため、表示装置上に指でなぞった軌跡が残ることがない。このことにより、画面上の軌跡から他人に登録パターンを類推されるといった問題は発生しえない。以上より、本発明によれば、携帯端末１が画面ロック状態などの機能利用不可状態である場合に、他人が容易に当該機能利用不可状態を解除することを防止する携帯端末１を提供することができる。
【００４５】
また、本実施形態に係る携帯端末１において、遷移部１４が、携帯端末1の傾きが一定角度以上である場合に限りポインタ３０を遷移させる制御を行うことにより、ユーザがポインタ３０の遷移を意図していないと想定される携帯端末１のわずかな傾きに対しては、ポインタ３０を遷移させないことが可能となる。当該制御によって、誤操作を防止し、ユーザの操作性を向上させることができる。
【００４６】
また、表示部１３が、ポインタ３０が遷移できる複数の相互に重複しないマス４０を表示し、判断部１５が条件としてマス４０の遷移順序を保持していることにより、後述する遷移部１４によるポインタ３０遷移制御や判断部１５による軌跡比較が可能となり、ユーザビリティの向上が図れる。また、マス４０があることにより、判断手段が予め登録された条件として遷移順序を保持しやすくなり、本発明の簡易な実施が可能となる。例えば、本実施形態の携帯端末１において画面ロック解除パターンが「５７８９６３」である場合には、判断手段は予め登録された条件として数字「５７８９６３」を保持すればよく、ポインタ３０の遷移による軌跡との比較のために、座標などの複雑なパラメータを保持する必要がない。このことによって、軌跡比較のための複雑な判断ロジックは不要となり、携帯端末１をシンプルな構成とすることができる。
【００４７】
また、本実施形態に係る携帯端末１において、遷移部１４が、ポインタ３０を異なるマス４０に遷移させた場合は、遷移後一定時間ポインタ３０を遷移させないことが好ましい。遷移部１４が、傾き検知部１２が検知した傾きに従って無条件にポインタ３０を遷移させることとすると、ユーザは、携帯端末１を傾けてポインタ３０を遷移させた後、当該傾きを即時に修正しなければ、当該傾きに従って、ユーザが意図した遷移を超えてポインタ３０を遷移させてしまう恐れがある。即ち、ユーザ操作の難易度が高くなってしまう。遷移後一定時間ポインタ３０を遷移させないという制御をすることにより、ポインタ３０遷移後、傾きを修正する時間を十分にとることができ、ユーザの操作難易度を低くすることができる。
【００４８】
また、本発明に係る携帯端末１において、判断部１５が、遷移部１４によってポインタ３０が条件を満たす軌跡を描くために通過するマス４０の数より１少ない回数以上遷移させられた場合に、該ポインタ３０が遷移することにより描いた軌跡が条件を満たすか判断することが好ましい。予め登録された条件と一致する軌跡を描くために必要な遷移数を満たしている場合に限り、描いた軌跡と予め登録された条件とを比較することによって、ポインタ３０の遷移が完了する前に判断部１５によって軌跡比較がされることを防止し、ユーザが意図したタイミングで軌跡比較を実施することができる。
【００４９】
また、本発明に係る携帯端末１において、判断部１５が、ポインタ３０の遷移が開始された後に該ポインタ３０が任意のマス４０に一定時間以上留まった場合に該ポインタ３０が遷移することにより描いた軌跡が条件を満たすか判断することが好ましい。ポインタ３０の遷移が一定時間されず、ユーザの操作が完了したと想定された後に軌跡比較を行うことにより、ユーザが意図したタイミングで軌跡比較を実施することができる。
【００５０】
以上、本発明の好適な実施形態について説明したが、本発明は上記実施形態に限られるものではなく、各請求項に記載した要旨を変更しない範囲で変形し、又は他のものに適用したものであってもよい。
【００５１】
例えば、表示装置としてタッチパネル１１を例示したが、これに限定されるものではなく、ポインタ３０の遷移を視認できる表示装置全般に応用できる。
【００５２】
また、判断部１５における、画面ロック解除パターンと描いた軌跡との一致判断の際には、マスに割り振られた数字を比較すると記載したが、これに限定されるものではなく、例えば座標比較などを行ってもよい。
【００５３】
また、機能利用不可状態として、休止モード中の画面ロックを例示したが、これに限定されるものではなく、特定の機能を利用できる状態とするための前段階の状態全般を含むものであり、例えば特定のアプリケーション利用開始時に入力が必要となる暗証番号入力待ち状態等も当該機能利用不可状態に含まれる。
【符号の説明】
【００５４】
１…携帯端末、１１…タッチパネル、１２…傾き検知部、１３…表示部、１４…遷移部、１５…判断部、１６…利用不可状態解除部、３０…ポインタ、４０…マス。
【図１】
2013191916.tif 000003
【図２】
2013191916.tif 000004
【図３】
2013191916.tif 000005
【図４】
2013191916.tif 000006
【図５】
2013191916.tif 000007